(57)【要約】【課題】部品点数を増大させることなく、平坦面上でカメラボディを直立または傾斜した起立姿勢に保つことができるようにしたカメラを提供する。【解決手段】デジタルカメラ２は、大別して、カメラボディ３と表示器４とから構成されている。表示器の上端部には回動軸１３が設けられており、回動軸１３は、カメラボディ３の背面側内部に設けられたスライド機構１８に回動自在に嵌合される。表示器４を引き出し、カメラボディ３を支持している平坦面に、表示器４の下端に形成された開口から露出しているスライド部材１１の一端を当接させることによって、カメラボディ３が表示器４によって背面側から支えられる。また、表示器４の下端に形成された開口から露出しているスライド部材１１の露出量を調節することにより、カメラボディ３の傾斜角度を変えることができる。【選択図】　　　　図２
2004120490.tif 000002
【特許請求の範囲】
【請求項１】
カメラボディの背面に画像表示用の表示器が取り付けられたカメラにおいて、
前記表示器の上端がカメラボディの背面に軸着され、表示器をその下端が開くように揺動させて、カメラボディを平坦面に載置したときに、表示器の下端がカメラボディの下縁とともに平坦面に接して、カメラボディが起立状態に保たれるようにしたことを特徴とするカメラ。
【請求項２】
前記表示器がカメラボディに対して下方にスライド自在でああることを特徴とする請求項１記載のカメラ。
【請求項３】
前記表示器が下方に引き出し自在なスライド部材を有し、このスライド部材の下縁がカメラボディの下縁とともに平坦面に接するようにしたことを特徴とする請求項１または２記載のカメラ。
【発明の詳細な説明】
【０００１】
【発明の属する技術分野】
本発明は、カメラに関し、さらに詳しくは三脚を用いずにカメラ本体を自立させる手段を有するカメラに関する。
【０００２】
【従来の技術】
近年、スチルカメラの小型化が図られているとともに、電子カメラである、いわゆるデジタルカメラ等のような映像撮影装置も小型化とともに薄型化が進んでいる。この種の小型カメラは一般にハンドカメラとして開発されているため、三脚台に固定して撮影するようなカメラはあまり多くない。
【０００３】
このようなハンドカメラの中には、三脚を持ち歩かなくてもカメラ本体を安定して自立させるようなカメラ自立手段を備えたものがいくつかある。例えば、傾斜姿勢保持手段を設けることで、カメラ本体を支持面上で所望の傾斜した起立姿勢に保ち、さらにカメラ本体が背面方向に倒れるのを防ぐための倒れ防止部材を取り付けることで、風圧などの影響でカメラ本体が倒れることを未然に防止するものがある（特許文献１参照。）。
【０００４】
【特許文献１】
特開２００１−２２８５３０号公報
【０００５】
【発明が解決しようとする課題】
しかしながら、上記のような従来例では、カメラ本体を傾斜した起立姿勢に保つためだけの作用しかもっていない部材や、カメラ本体の背面方向への倒れを防止するためだけの作用しかもっていない部材をカメラ本体に追加しているため、カメラの大型化を招くという欠点があった。
【０００６】
さらに、従来のカメラでは、例えば、セルフタイマーで撮影する場合、カメラを台上に直立させ、カメラの背面に設けられたＥＶＦまたはＬＣＤを覗きながらセルフタイマーの設定を行ってきた。台に乗せたカメラが、ユーザーの眼下にある場合、ユーザーはＥＶＦまたはＬＣＤを屈んで覗き込まなければならなく、撮影する際には労力を要した。
【０００７】
本発明は、上述したような課題を解消するためになされたもので、その目的は、部品点数を増大させることなく、カメラ本体を起立姿勢に保つと同時に、ＬＣＤをユーザーの見やすい角度に配置できるようにしたカメラを提供することにある。
【０００８】
【課題を解決するための手段】
上記目的を達成するために、本発明のカメラは、カメラボディの背面に画像表示用の表示器の上端を軸着し、表示器をその下端が開くように揺動させて、カメラボディを平坦面に載置したときに、表示器の下端がカメラボディの下縁とともに平坦面に接して、カメラボディが起立状態に保たれるようにしたものである。
さらに、表示器をカメラボディに対して下方にスライド自在にしたものである。
なお、表示器には、下方に引き出し自在なスライド部材が設けられており、このスライド部材の下縁がカメラボディの下縁とともに平坦面に接するようにした。
【０００９】
【発明の実施の形態】
図１に本発明を実施したデジタルカメラの外観背面側斜視図を、図２に表示器を引き出した状態の外観背面側斜視図を示す。本発明を実施したデジタルカメラ２は、大別してデジタルカメラボディ３（以下カメラボディ３と記載）と、このカメラボディ３の背面に上端部が回動自在に軸着された表示器４とから構成されている。このカメラボディ３の前面には撮像レンズを保持したレンズ鏡筒５、背面にはＥＶＦ（液晶ファインダ）６、キー操作部７、上面にはシャッタボタン８が設けられている。
【００１０】
図３、図４、図５を参照して表示器４及びカメラボディ３背面の構成について説明する。表示器４は、収納枠１０と、再生画像や撮像される被写体画像が表示されるＬＣＤ（液晶モニタ）１２とから構成されている。収納枠１０には、一対になっている横向きの回動軸１３、２１と、スライド部材１１とが設けられている。
【００１１】
カメラボディ３の背面側内部には取り付け基板１４が設けられている。取り付け基板１４には回動軸１３が係合するように形成された係止凹部１４ａと、その直下には同じ形状をなす係止凹部１４ｂが形成されている。板ばね１５には、係止凹部１５ａと係止凹部１５ｂが形成されており、係止凹部１５ａ及び係止凹部１５ｂが、係止凹部１４ａ及び係止凹部１４ｂに対向するように、板ばね１５が取り付け基板１４に固着されている。
【００１２】
これにより、取り付け基板１４に形成された係止凹部１４ａと板バネ１５に形成された係止凹部１５ａから係止部１６が構成され、また、取り付け基板１４に形成された係止凹部１４ｂと板バネ１５に形成された係止凹部１５ｂから係止部１７が構成される。このように取り付け基板１４と板ばね１５を組み合わせることによってスライド機構１８が構成される。係止部１６には、回動軸１３が回動自在に嵌合される。回動軸１３が係止部１７に向かってスライドする際には、板ばね１５の不勢を受けながらスライドする。
【００１３】
カメラボディ３の背面下部には、一対になっている継ぎ手１９の一端が回動自在に取り付けられており、その他端には嵌合穴２０が設けられている。収納枠１０の側部に設けられた回動軸２１は、継ぎ手１９に設けられた嵌合穴２０に嵌め込まれ、継ぎ手１９に回動自在に取り付けられる。
【００１４】
図６は収納枠１０における背面側下部の概略斜視図である。収納枠１０の背面側下部にはスライド溝２２が形成され、このスライド溝２２にスライド部材１１が嵌め込まれて同溝に沿って上下方向にスライド可能になっている。
【００１５】
スライド溝２２の内壁左右側面には係止凹凸部２２ａが形成されている。スライド部材１１の両側面には係止体２３が取り付けられている。この係止体２３には片持梁状の板ばね部２３ａが延設され、その先端部に係止凸部２３ｂが形成されている。この係止凸部２３ｂがスライド溝２２の係止凹凸部２２ａに係入されて板ばね部２３ａの付勢に抗して圧接される。
【００１６】
スライド部材１１は、係止凸部２３ｂが係止凹凸部２２ａに係脱しながらスライド溝２２に沿って上下方向にスライドし、収納枠１０の下端に形成された開口２２ｂより出没するようになっている。スライド部材１１に取り付けられた係止体２３の係止凸部２３ｂがスライド溝２２の係止凹凸部２２ａに設けられたそれぞれの凹部に係止することにより、スライド部材１１の開口２２ｂからの突出量を段階的にロックすることができるようになっている。
【００１７】
また、スライド部材１１には、スライド部材１１の引き出し操作を容易にするための指掛け凹部１１ａが形成されており、さらに外部に露呈される下端部にはゴム素材で形成された滑り止め部材２４が取り付けられている。
【００１８】
上述したように構成されるデジタルカメラ２の作用について以下に説明を行う。図２、図５に示すように、表示器４の下部を引き出しながら（図２、図５の矢印を参照）表示器４の上端部をカメラボディ３の下方にスライドさせる。これらの一連の動作に伴い、収納されていた継ぎ手１９も引き出される。継ぎ手１９によって表示器４の引き出し量は制限される。
【００１９】
表示器４を引き出し、カメラボディ３を支持している平坦面２５に、収納枠１０の下端に形成された開口２２ｂから露出しているスライド部材１１の一端を当接させることによって、カメラボディ３が表示器４によって背面側から支えられる。また、表示器４の下端には滑り止め部材２４が取り付けられているため、平坦面２５で滑らないようになっている。
【００２０】
このようにして、カメラボディ３が、前方からの風などの影響で背方へ押されて倒れることを防止することできる。また、ＬＣＤ１２が斜め上方を向くため、例えば、セルフタイマーで撮影するときはＬＣＤ１２が覗きやすくなる。
【００２１】
また、スライド部材１１の指掛け凹部１１ａ（図６参照）に指を掛け、スライド部材１１を表示器４内部にスライド収納させ、開口２２ｂより露出しているスライド部材１１の一端を床面に当接させることによって、カメラボディ３を、図７に示すように、傾斜した起立姿勢に保つこともできる。さらに、開口２２ｂからのスライド部材１１の突出量を調節することによって、カメラボディ３の傾斜角度を変えることもできる。
【００２２】
次に本発明の第２の実施形態について説明する。上記第１の実施形態では、表示器４の上端部に形成された回動軸１３を、カメラボディ３の背面内部に設けられたスライド機構１８に嵌め込むことによって、表示器４とカメラボディ３を連結するようにしたが、以下に説明する第２の実施形態では、表示器４の上端部に設けられた回動軸１３にクリック機構を搭載した形態について例に挙げる。なお、上記第１の実施形態と同一の部材については、同一の符号を付してその説明を省略する。
【００２３】
以下、図８、図９を参照して第２の実施形態について説明する。本発明を実施したデジタルカメラ３０は、第１の実施形態と同様に、大別してカメラボディ３と、このカメラボディ３の背面に取り付けられた表示器４とから構成されている。表示器４はその上端部が、カメラボディ３の背面に設けられたヒンジ結合部３１によって回動自在に取り付けられている。ヒンジ結合部３１には、途中の回動角度にも段階的にロックさせることができるようにボールクリック機構が備えられている。図示していないが、表示器４の収納状態では表示器４は収納凹部２６内に収納され、カメラボディ３の背面と平坦面状態になる。
【００２４】
収納枠１０には、スライド部材１１が備え付けられていて、第１の実施形態と同様に、そのスライド部材１１は、収納枠１０の下端に形成された開口２２ｂより出没するようになっている。（図６参照）
【００２５】
上述したように構成されるデジタルカメラ３０の作用について以下に説明を行う。図９の矢印方向に表示器４を回動させ、ヒンジ結合部２５に備えたボールクリック機構によって、所望の角度で固定させる。図９に示すように、回動させた表示器４の一端を平坦面２５に当接させることで、カメラボディ３を傾斜した起立姿勢に保持することができ、所望のアングルでカメラボディ３を設置することができる。この時、表示器４の表面がやや上向きになるため、第１の実施形態と同様に、セルフタイマーで撮影するときなどはＬＣＤ１２が覗きやすくなるといった効果も表れる。
【００２６】
図８及び図１０の仮想線で示すように、収納枠１０に備えられたスライド部材１１を収納枠１０の下端に形成した開口２２ｂより出没させることによってスライド部材１１の突出量を調整することができる。これにより、図９及び図１０のようにデジタルカメラ３０を平坦面２５においた際には、カメラボディ３の傾斜角度をθ１　からθ２　に調整することが可能となる。
【００２７】
上記実施例においては、ヒンジ結合部３１にボールクリック機構を用いたが、これに限ることなく、ボール以外のその他のクリック機構であってもよい。また、クリック機構を用いずに表示器４を回動させ、摩擦機能により所望の角度でフリーストップできるように構成すれば、表示器４を無段階式に回動できるので、クリック機構よりも自由度の高い角度調節が可能となる。
【００２８】
スライド部材１１の移動はモータで行っても良い。例えば、キー操作部７にモータ制御スイッチを設け、それを操作することによりモータの駆動を制御し、スライド部材１１を所望の位置まで移動させるようにしても良い。
【００２９】
また、スライド溝２２とスライド部材１１の構成は、上記実施形態に限定されるものではなく、本発明の範囲内において種々に変更できることは勿論である。
【００３０】
なお、上記実施形態ではデジタルカメラを取り上げたが、通常のカメラにおいても本発明は有効である。
【００３１】
【発明の効果】
以上のように、本発明のカメラによれば、カメラボディの背面に回動自在に展開し、所望の角度にロックできる表示器を設けることにより、平坦面でカメラボディを直立または傾斜した起立姿勢に保持する足として表示器を用いることができる。これにより、カメラボディの背面方向への倒れを防ぐことが可能となり、さらにカメラを設置した状態で、所望のアングルでの撮影が可能となる。また、表示器の表面が斜め上方を向くため、ＬＣＤも覗きやすくなり、セルフタイマーで撮影するときの労力が軽減される。これにより、カメラボディの起立姿勢を保持する目的のためだけにカメラボディに取り付けられている姿勢保持部材を特別に取り付ける必要がないので、カメラを構成する部品点数の増大を防ぐことにもつながる。
【図面の簡単な説明】
【図１】本発明を実施したデジタルカメラの外観を示す背面側斜視図である。
【図２】表示器を回動させた状態の外観を示す背面側斜視図である。
【図３】表示器を取り外した状態の外観を示す背面側斜視図である。
【図４】デジタルカメラを起立させた状態の透視右側面図である。
【図５】表示器を回動させた状態の透視右側面図である。
【図６】表示器における背面側下部の概略斜視図である。
【図７】カメラボディを傾斜させた状態を示す概略右側面図である。
【図８】図１に示すものとは異なる実施形態のデジタルカメラの外観を示す背面側斜視図である。
【図９】図８に示すデジタルカメラの透視右側面図である。
【図１０】図９に示すカメラボディの傾斜角度を変えた状態を示す概略右側面図である。
【符号の説明】
３　デジタルカメラボディ
４　表示器
１０　表示枠
１１　スライド部材
１３　回動軸
１８　スライド機構
２２ｂ　開口
２５　平坦面
【図１】
2004120490.tif 000003
【図２】
2004120490.tif 000004
【図３】
2004120490.tif 000005
【図４】
2004120490.tif 000006
【図５】
2004120490.tif 000007
【図６】
2004120490.tif 000008
【図７】
2004120490.tif 000009
【図８】
2004120490.tif 000010
【図９】
2004120490.tif 000011
【図１０】
2004120490.tif 000012